(57)【要約】【課題】表示要素の輝度低下の問題が改善されるとともに覗き見防止機能を良好に発揮する表示装置、並びにこれを用いた入力装置および自動販売機を提供する。【解決手段】表示装置１００は、発光体ユニット１０と、発光体ユニット１０の前面側に配置され、光の透過により点灯状態となり目視により互いに識別可能となる複数の表示要素を表示する表示部２０と、表示部２０の前面側に配置され、光を遮蔽する遮蔽部４４と、光を透過する透過部４２と、を有する遮蔽部材５０と、を備え、透過部４２は、隣り合う遮蔽部４４間に配置されており、正面視される一の透過部４２が、一または複数の表示要素を包含しており、正面視で、一の透過部において点灯状態である一または複数の表示要素の全体が視認可能であり、斜方視で、視線方向に遮蔽部４４が位置することにより表示要素の少なくとも一部が遮蔽部４４により遮蔽されて不可視となる。【選択図】図１
2015191434.tif 000002
【特許請求の範囲】
【請求項１】
光を放射する光源を保持する発光体ユニットと、
前記発光体ユニットの前面側に配置され、前記光の透過により点灯状態となり目視により互いに識別可能となる複数の表示要素を表示する表示部と、
前記表示部の前面側に配置され、前記光を遮蔽する遮蔽部と、前記光を透過する透過部と、を有する遮蔽部材と、
を備え、
前記透過部は、隣り合う遮蔽部間に配置されており、
正面視される一の前記透過部が、一または複数の前記表示要素を包含しており、
正面視で、一の前記透過部において点灯状態である一または複数の前記表示要素の全体が視認可能であり、
斜方視で、視線方向に前記遮蔽部が位置することにより前記表示要素の少なくとも一部が前記遮蔽部により遮蔽されて不可視となることを特徴とする表示装置。
【請求項２】
点灯状態である一の前記表示要素は、点灯状態である他の表示要素と共通である共通部と、前記共通部以外の個別部と、を有し、
前記斜方視される前記表示部において、一の前記表示要素おける前記個別部が前記遮蔽部により遮蔽されることにより、一の前記表示要素と他の前記表示要素とが識別不可能となる請求項１に記載の表示装置。
【請求項３】
前記表示部の横幅が成人の体幅未満であり、前記表示部の中心から、前記表示部の正面近傍に起立した成人の体の両側を通って引かれた２直線間を、正面視領域とし、当該２直線間を外れた領域を斜方視領域としたときに、
前記斜方視領域から視認される前記表示部において、一の前記表示要素の前記個別部が遮蔽され、当該一の前記表示要素と他の前記表示要素とが識別不可能となる請求項２に記載の表示装置。
【請求項４】
前記表示部の前面側に配置され、透過領域と不透過領域とが所定のピッチで繰り返して形成されており前記透過領域を通過する光の視野角度を所定の極視野角カットオフ角度以下に制限する視野角制限シートをさらに備え、
前記遮蔽部により前記個別部が遮蔽され、他の前記表示要素との識別が不可能となる視野角度の最小角度よりも、前記極視野角カットオフ角度が大きく、かつ、
前記極視野角カットオフ角度よりも、前記遮蔽部によって複数の前記表示要素の全てに関し当該表示要素の全体を遮蔽する全体遮蔽視野角度の方が大きい請求項３に記載の表示装置。
【請求項５】
一の前記遮蔽部が、前記表示装置の上下方向に延在する帯状部であり、前記帯状部である前記遮蔽部が、前記表示装置の左右方向に配列されている請求項１から４のいずれか一項に記載の表示装置。
【請求項６】
表示部の法線方向に対し、０°を超えて所定の視認角度から表示部を斜方視されたときに、
前記遮蔽部は、複数の前記表示要素の全てに関し当該表示要素の全体を遮蔽可能である請求項１から５のいずれか一項に記載の表示装置。
【請求項７】
前記所定の視認角度が、３０°以上７５°以下である請求項６に記載の表示装置。
【請求項８】
前記遮蔽部が、光不透過層と、前記光不透過層と前記表示部との間に配置される光透過層と、を備えることを特徴とする請求項１から７のいずれか一項に記載の表示装置。
【請求項９】
複数の前記表示要素は、配列が基準化された複数の異なる文字を含み、
複数の前記文字が、前記表示部において基準化された前記配列に従わずに所定方向に配置される請求項１から８のいずれか一項に記載の表示装置。
【請求項１０】
所定のタイミングで前記文字の配置を変更する表示変更手段を有する請求項９に記載の表示装置。
【請求項１１】
請求項１から１０のいずれか一項に記載の表示装置を備える入力装置であって、
前記光源から放射された前記光を透過させ、タッチ操作により情報の入力を受け付けるセンサシートを備え、
前記センサシートの電極が前記表示要素に対応して配置されていることを特徴とする入力装置。
【請求項１２】
請求項１１に記載の入力装置と、
販売物を収容可能な収容部と、前記販売物を取り出す取出口と、を備える筐体と、
前記販売物を前記取出口に送り出す商品払出機構と、を備え、
前記入力装置が、前記筐体の前面に配置されていることを特徴とする自動販売機。
【請求項１３】
ＩＣカードに記憶された暗証コードを読み取るコード読取部、および
前記入力装置の前記タッチ操作により入力された入力情報と、前記コード読取部において読み取られた前記暗証コードと、を照合する照合部を備える請求項１２に記載の自動販売機。
【請求項１４】
前記販売物がたばこである請求項１１または１２に記載の自動販売機。
【発明の詳細な説明】
【技術分野】
【０００１】
本発明は、表示装置、入力装置、および自動販売機に関する。
【背景技術】
【０００２】
近年、セキュリティやプライバシーの確保の観点から、視野角度を制限し、他者が表示面を覗き見ても表示内容が視認できないようにする覗き見防止機能を備える表示装置が提案されている。
例えば、特許文献１には、入力キー画像の見え方を視野的に規制する光学偏光板（以下、単に偏光板ともいう）が設けられることによって視野規制機能を備えるデータ入力装置の発明（以下、従来技術１ともいう）が開示されている。従来技術１における偏光板は、偏光板の面に対し垂直方向である正面の視野角度から見たときには明るく、横斜め方向から見たときには暗くなることが説明されている。特許文献１図３には、光が透過する領域と、光が透過しない領域とが幅方向に配列されている様子が示されている。
【０００３】
このように光透過部と遮蔽部とを有する偏光板は、一般的には、表示部の表示内容を妨げないよう微視的かつ微細なピッチに作り込まれることが一般的である。たとえば、特許文献１図２における表示部の幅Ｗと、図３に示される幅Ｗとを対比すると、入力キー画像表示面に表示される文字等の上方に遮蔽部が位置し、遮蔽部が実質的に微視的に作り込まれていることが理解される。
【０００４】
また特許文献２には、表示画面の視野角度を狭めることが可能な光制御フィルムの発明（以下、従来技術２ともいう）が開示されている。従来技術２は、光入射面と光出射面との間に、交互に配置された透過領域と吸収領域とを有している。カーボンブラックなどの光学的に吸収性の材料から構成される上記吸収領域が、平均ピッチ０．０７０ｍｍ以下と微細なパターンで形成されていることが開示されている。また、図１によれば吸収領域の幅は、吸収領域のピッチよりも小さく示されており、例えば当該幅は、８μｍ以下であってよいことが特許文献２に記載されている。
【０００５】
従来技術１のデータ入力装置、または従来技術２を備える表示装置によれば、表示面において実質的に不可視である微細なパターンで形成された遮蔽部を有することにより、視野角度を狭くし、斜め方向からの他人の覗き見を防止することが可能である。
【先行技術文献】
【特許文献】
【０００６】
【特許文献１】特開２００１−２２８９７０号公報
【特許文献２】特表２００１−５０８２６２号公報
【発明の概要】
【発明が解決しようとする課題】
【０００７】
しかし従来技術１および従来技術２を備える表示装置は、以下の課題を有していた。
即ち、微視的な遮蔽部を細かいピッチでパターニングされてなる偏光板（光学フィルム）は、文字や数字などの表示要素の前面側にも配置されるため、当該表示要素の輝度を低下させるという問題があった。あるいは、遮蔽部を設けたことによる表示要素の輝度の低下を補うために、光源から発する光量を増大させる必要があり、消費電力が増大するという問題があった。
【０００８】
本発明は上記課題に鑑みてなされたものである。即ち、本発明は、表示要素の輝度低下の問題が改善されるとともに覗き見防止機能を良好に発揮する表示装置、並びにこれを用いた入力装置および自動販売機を提供する。
【課題を解決するための手段】
【０００９】
本発明の表示装置は、光を放射する光源を保持する発光体ユニットと、上記発光体ユニットの前面側に配置され、上記光の透過により点灯状態となり目視により互いに識別可能となる複数の表示要素を表示する表示部と、上記表示部の前面側に配置され、上記光を遮蔽する遮蔽部と、上記光を透過する透過部と、を有する遮蔽部材と、を備え、上記透過部は、隣り合う遮蔽部間に配置されており、正面視される一の上記透過部が、一または複数の上記表示要素を包含しており、正面視で、一の上記透過部において点灯状態である一または複数の上記表示要素の全体が視認可能であり、斜方視で、視線方向に上記遮蔽部が位置することにより上記表示要素の少なくとも一部が上記遮蔽部により遮蔽されて不可視となることを特徴とする。
【００１０】
本発明の入力装置は、本発明の表示装置を備える入力装置であって、上記光源から放射された上記光を透過させ、タッチ操作により情報の入力を受け付けるセンサシートを備え、上記センサシートの電極が上記表示要素に対応して配置されていることを特徴とする。
【００１１】
本発明の自動販売機は、本発明の入力装置と、販売物を収容可能な収容部と、上記販売物を取り出す取出口と、を備える筐体と、上記販売物を上記取出口に送り出す商品払出機構と、を備え、上記入力装置が、上記筐体の前面に配置されていることを特徴とする。
【発明の効果】
【００１２】
本発明の表示装置は、透過部が、隣り合う遮蔽部間に配置されており、正面視される一の透過部が、一または複数の表示要素を包含している。そのため、表示装置の正面視において、遮蔽部が表示要素の前面側に位置することによって表示要素の輝度を低下させるという虞がない。また表示装置の斜方視において、遮蔽部は隣接する透過部に包含される表示要素の少なくとも一部を遮蔽して不可視とすることが可能である。
即ち、本発明の表示装置は、表示要素の輝度を落とすことなく覗き見防止機能を発揮することが可能である。
【００１３】
また本発明の入力装置は、上記表示装置における効果を享受し、斜方視する他人に入力内容を覗き見られることを防止する。
また本発明の自動販売機は、上記入力装置における効果を享受する。たとえば本発明の自動販売機は、購入者が販売物を購入するために特定の内容を入力装置において入力する必要がある場合、入力内容を斜方視する他人に覗き見られることなく販売物を販売することが可能である。
【図面の簡単な説明】
【００１４】
【図１】本発明の第一実施形態にかかる表示装置の分解斜視図である。
【図２】図２ａは、第一実施形態にかかる表示装置の正面図、図２ｂおよび図２ｃは、表示装置に対し右方向からみた斜視図である。
【図３】図３ａは、数字の９を示す表示要素を説明する説明図であり、図３ｂは、数字の５を示す表示要素を説明する説明図である。
【図４】図４ａは、数字の９を示す表示要素を説明する説明図であり向かって右側の一部が遮蔽部により遮蔽された状態を示しており、図４ｂは、数字の５を示す表示要素を説明する説明図であり向かって右側の一部が遮蔽部により遮蔽された状態を示している。
【図５】自動販売機および表示部の正面近傍に起立した成人を上方から観察した説明図である。
【図６】図６ａは、遮蔽部材の斜視図であり、図６ｂは、図６ａに示す遮蔽部材のＡ−Ａ断面図である。
【図７】本発明の第二実施形態にかかる自動販売機の正面概略図である。
【発明を実施するための形態】
【００１５】
以下、本発明の実施形態について、図面を用いて説明する。すべての図面において、同様の構成要素には同一の符号を付し、重複する説明は適宜に省略する。
なお、本実施の形態では図示するように上下左右前後の方向を規定して説明する場合がある。しかし、これは構成要素の相対関係を簡単に説明するために便宜的に規定するものであり、本発明を実施する製品の製造時や使用時の方向を限定するものではない。
本発明の表示装置、入力装置、または自動販売機の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１６】
本発明の説明において前面側とは、特段の断りがない限り、表示装置の表示内容が表示される側をいう。
また本発明の説明において正面視とは、表示装置の表示面に対する法線と概略等しい方向から表示装置の前面側を視認することをいい、正面視における視認角度は０°とする。これに対し、斜方視とは、正面視に対し表示装置の幅方向に移動した位置から表示装置の前面側を視認することをいい、斜方視における視認角度は、上記法線と、斜方視により表示装置の前面側を視認する視線との交差角度をいう。
また本発明に関し、覗き見を防止するとは、表示要素の全体が遮蔽されて不可視となる場合および、表示要素が部分的に遮蔽された結果、表示要素が識別不可能となる場合を含む。
【００１７】
＜第一実施形態＞
以下に、本発明の表示装置の第一実施形態である表示装置１００の構成について図１から図６を用いて説明する。
図１は、本発明の第一実施形態かかる表示装置１００の分解斜視図である。表示装置１００は、センサシート２１０を備えることによって入力装置２００の体をなしている。
図２ａは、第一実施形態にかかる表示装置１００の正面図、図２ｂおよび図２ｃは、表示装置に対し右方向からみた場合の斜視図である。図２ｂおよび図２ｃは、前面ケース７０と透明レンズ６０を図示省略している。図１および図２に示す表示要素２２は、いずれも点灯状態となる前の状態である。
図３ａは、表示要素２２であって、数字の「９」を示す表示要素２２ａを説明する説明図であり、図３ｂは、表示要素２２であって数字の「５」を示す表示要素２２ｂを説明する説明図である。
図４ａは、表示要素２２ａを説明する説明図であり、向かって右側の一部が遮蔽部４４により遮蔽された状態を示しており、図４ｂは、表示要素２２ｂを説明する説明図であり、向かって右側の一部が遮蔽部４４により遮蔽された状態を示している。
図５は、自動販売機３００および表示部２０の正面近傍に起立した成人１４０を上方から観察した説明図である。
図６ａは、遮蔽部材の斜視図であり、図６ｂは、図６ａに示す遮蔽部材のＡ−Ａ断面図である。
【００１８】
図１に示すとおり、表示装置１００は、発光体ユニット１０と、表示部２０と、遮蔽部材５０と、を備える。
発光体ユニット１０は、光を放射する光源を保持するユニットである。
表示部２０は、発光体ユニット１０の前面側に配置され、光の透過により点灯状態となり目視により互いに識別可能となる複数の表示要素２２を表示する。
遮蔽部材５０は、表示部２０の前面側に配置され、光を遮蔽する遮蔽部４４と、光を透過する透過部４２と、を有する。
図２ａに示すとおり、透過部４２は、隣り合う遮蔽部４４の間に配置されており、正面視される一の透過部４２は、一または複数の表示要素２２を包含している。正面視で、一の透過部４２において点灯状態である一または複数の表示要素２２の全体が視認可能である。
また図２ｂおよび図２ｃに示すとおり、斜方視で、視線方向に遮蔽部４４が位置することにより表示要素２２の少なくとも一部が遮蔽部４４により遮蔽されて不可視となる。
目視により互いに識別可能な複数の表示要素は、表示要素単位で巨視的である。
【００１９】
かかる構成を有する表示装置１００は、正面視において表示要素２２の前面側に遮蔽部４４は位置しないため、表示部２０であって表示要素２２を通過する光が遮蔽部４４によって遮られて輝度が低下する虞がない。また、表示装置１００を斜方視する視線と表示要素２２の少なくとも一部との間に遮蔽部４４が位置することによって、表示要素２２の少なくとも一部を遮蔽可能である。
即ち、表示装置１００は、遮蔽部４４によって正面視における表示要素２２の輝度を低下させることなく、斜方視からの覗き見を防止し得る。
【００２０】
図１を用いて第一実施形態にかかる表示装置１００の構成について詳細に説明する。
表示装置１００の背面側には背面ケース８０が設けられている。
背面ケース８０は、表示装置１００の前面側に位置する前面ケース７０と係合する係合部を有し、係合状態において、前面ケース７０とともに表示装置１００のその他の構成を収納する。即ち、背面ケース８０と前面ケース７０とにより表示装置１００の各構成を一体としてなす表示装置ユニットを提供することができる。表示装置ユニットは、運搬性、および取扱性などに優れ、たとえば、既に設置された自動販売機の前面側の所定の位置に嵌め込まれた任意の装置を取り外し、当該位置に表示装置ユニットを嵌め込むことにより容易に設置可能である。
第一実施形態の変形例として、背面ケース８０を省略してもよい。
【００２１】
背面ケース８０の前面側には、発光体ユニット１０が設けられている。
発光体ユニット１０とは、表示装置１００において用いられる光源を有する発光体装置を広く包含する。光源としては、例えばＬＥＤを含み、液晶表示装置などに搭載されるバックライトなど、表示装置において使用され得る光源を広く含む。
【００２２】
発光体ユニット１０の前面側には、センサシート２１０が設けられている。
センサシート２１０を備える表示装置１００は、入力装置２００をなす。
センサシート２１０は、光源から放射された光を透過させ、タッチ操作により情報の入力を受け付ける部材である。センサシート２１０の電極（図示省略）が表示要素２２に対応して配置される。
センサシート２１０は、たとえば、タッチパネルセンサに搭載されるタッチセンサ等を含む。センサシート２１０に含まれるタッチセンサの感知形式は特に限定されず、静電容量式、感応式など、種々の形式のセンサを適宜選択して使用することができる。
表示装置１００を備える入力装置２００は、上述するとおり、隣り合う遮蔽部４４と遮蔽部４４との間に透過部４２が配置されており、透過部４２において視認される表示要素２２を入力装置２００の前面側からタッチすることにより入力操作を行うことができる。隣り合う遮蔽部４４と遮蔽部４４とのピッチが充分に細い場合（例えばピッチ１．５ｃｍ以下）に、成人の指で直接に行う入力操作を確実に実施するという観点からは、上記タッチセンサは静電容量式のものが好ましく選択される。
【００２３】
入力装置２００は、さらに上記タッチ操作によりセンサシート２１０に入力された入力情報を一時的に記憶する情報保持部を備えていてもよい。
【００２４】
表示装置１００を備える入力装置２００は、正面視において輝度が低下しないため表示要素２２を視認しやすく、一方、斜方視する他人が、正面視において入力する者の入力内容を覗き見ることを防止する。
【００２５】
センサシート２１０の前面側には、表示部２０が設けられている。
表示部２０は、発光体ユニット１０から放射された光の透過により種々の表示内容を表示可能であり、表示装置に搭載される表示手段を適宜、表示部２０として使用することができる。本実施形態では、表示部２０として７セグメントディスプレイタイプ（以下、単に７セグともいう）の表示に対応するデザインシートの例を用いて説明する。７セグは、７つのセグメントから構成され、個々の部分を発光体ユニット１０から放射された光によって点灯または消灯しアラビア数字を表示する。７セグに対応する発光体ユニット１０としては、たとえば７セグの各セグメントに対応するＬＥＤであって、表示したい数字に対応して点灯または消灯可能な複数のＬＥＤを搭載したものを挙げることができるが、これに限定されない。
表示部２０であるデザインシートは、図１に示すとおり、縦方向および横方向に配列された複数の７セグを含み、たとえば、０から９までの１０個の数字を適宜表示可能である。
表示部２０のその他の例としては、外光やバックライト等の光源から放射された光の透過、不透過を制御することによって表示内容を表示する液晶表示パネルを含む態様、などであってもよい。
【００２６】
表示部２０は、複数の表示要素２２を含む。
表示要素２２は、発光体ユニット１０から放射された光の透過により発光して表示内容を示す要素である。複数の表示要素２２は、発光することにより、互いに識別可能である。ここで点灯状態とは、表示装置１００の正面側に立った人間が感知可能に、発光体ユニット１０から放射された光が表示要素２２を透過する状態をいう。
本実施形態における表示要素２２のそれぞれは、単独の文字、図形、または記号などを表示可能なまとまりであり、液晶表示などにおける微視的なドット単位であることを除外する。本実施形態では表示要素２２は、７セグ形式で表示可能な数字である。上記文字には数字を含む。また上記図形には絵柄を含む。
【００２７】
本実施形態における表示要素２２の其々は、共通部２２４と個別部２２２を有する。即ち、点灯状態である一の表示要素２２は、点灯状態である他の表示要素２２と共通である共通部２２４と、共通部２２４以外の個別部２２２と、を有している（図３参照）。斜方視される表示部２０において、一の表示要素２２おける個別部２２２が遮蔽部４４により遮蔽されることにより、一の表示要素２２と他の表示要素２２とが識別不可能となる（図４参照）。
ここで共通部２２４および個別部２２２は、いずれも点灯状態にある表示要素２２を構成する部分である。
【００２８】
個別部２２２と共通部２２４とを備える表示要素２２によれば、表示要素２２の全体を遮蔽しなくても、斜方視からの覗き見を防止し得る。本実施形態における表示要素２２は、個別部２２２および共通部２２４を有しない態様と比較して、遮蔽部４４の奥行寸法または幅寸法を変更することなく視野角度を狭くすることができ、覗き見防止効果が高い。換言すると、本実施形態における表示要素２２は、個別部２２２および共通部２２４を有しない態様と比較して、同一視野角度を達成するための遮蔽部４４の奥行寸法または幅寸法を小さくすることができる。
【００２９】
７セグを例に、個別部２２２および共通部２２４の詳細について説明する。共通部２２４とは、少なくとも２つの異なる表示要素２２を対比したときに、表示要素２２の構成において互いに発光箇所が共通する部分をいう。また個別部２２２とは、少なくとも２つの異なる表示要素２２を対比したときに、互いに発光箇所が共通しない部分をいう。
図３ａは、一の表示要素２２（表示要素２２ａ）において、７つのセグメントのうち数字の「９」に相当するセグメントが発光し、「９」を表示した状態を示している。図３ｂは、他の表示要素２２（表示要素２２ｂ）において、７つのセグメントのうち数字の「５」に相当するセグメントが発光し、「５」を表示した状態を示している。
表示要素２２ａは、紙面右側において上下方向に並列する２つのセグメントのうちの上部のセグメントが、表示要素２２ｂに対する個別部２２２となっている。表示要素２２ｂは、表示要素２２ａにおける個別部２２２に相当する箇所は発光していない。
個別部２２２以外の箇所において、表示要素２２ａと表示要素２２ｂとは同様に発光しており、５か所の共通部２２４を有しており、また発光していない箇所は、数字の表示に関与しない非発光部２２６である。図３ａおよび図３ｂは、いずれも表示要素２２を正面視した状態を示している。
【００３０】
図４ａに斜方視した表示要素２２ａを示し、図４ｂに斜方視した２２ｂを示す。図４ａおよび図４ｂに示すとおり、７セグである表示要素２２は、遮蔽部４４により、紙面右側であって上下方向に配列された２つのセグメントのみが遮蔽され、その他のセグメントは視認可能である。即ち、表示要素２２ａおよび表示要素２２ｂの全体は遮蔽されておらず、個別部２２２を含む部分的な領域だけが遮蔽されているに過ぎない。しかし、視認されている共通部２２４だけでは「９」と「５」とが識別できない。そのため全体が遮蔽されず、かつ個別部２２２を遮蔽可能な表示要素２２を有する本態様は、実質的に視野角度を狭めることが可能であり覗き見防止効果に優れる。
【００３１】
ここで、表示部２０において表示された内容を他人に知られないようにするという観点では、さらに以下の態様を採用することが好ましい。
即ち、表示要素２２は、配列が基準化された複数の異なる文字である複数の表示要素２２を含み、複数の上記文字である表示要素２２が、表示部２０において基準化された上記配列に従わずに所定方向に配置されるとよい（図示省略）。
基準化された配列に従わずに所定方向に配置するとは、ランダム配置、および基準化された配列の一部を列移動することを含む。
配列が基準化された複数の文字とは、たとえば、十進法で配列される数字、日本語の５０音に相当するひらがなまたはカタカナ、英語のＡ、Ｂ、Ｃ、と続くアルファベット配列など社会通念上、配列が基準化された複数の文字を広く含む。上記所定方向とは、たとえば上下方向、または左右方向など、見る者が一定の方向性を容易に理解し得る方向をいう。例えば、透過部４２の延在方向は、上記所定方向に含まれる。
【００３２】
複数の文字である複数の表示要素２２が、基準化された配列に従わずにランダムに表示部２０に配置されることにより、斜方視する他人は、表示部に対し暗証番号等を入力する入力者のタッチ位置から入力内容を推定することが困難である。したがって、かかるランダム配置の態様が採用された表示装置１００は、実質的に覗き見防止効果が高い。
【００３３】
斜方視する他人が表示部２０に対する入力内容を推定し難くするという観点からは、さらに、所定のタイミングで文字の配置を変更する表示変更手段（図示省略）を有することが好ましい。
表示変更手段により所定のタイミングで上記文字の配置を変更することによって、斜方視する他人が、入力者の入力内容を文字の配置位置から推定することをさらに困難とし、実質的な覗き見防止効果を高めることができる。
表示変更手段により文字の配置が変更されるタイミングは特に限定されないが、たとえば、表示装置１００を備える入力装置２００において一の入力者が入力作業を行った後、他の入力者が入力する前のタイミングが好ましい。より具体的には、入力装置２００を備える自動販売機３００（詳細は後述する）において、一の入力者が入力作業を終了後、自動販売機３００で販売物を購入している間、または購入直後に文字の配置が変更されることがより好ましい。
【００３４】
表示部２０は、図１に示すとおり、表示要素２２以外の表示を行ってもよい。例えば本施形態における表示部２０は向かって右側に説明記載部２６が設けられている。
【００３５】
次に遮蔽部材５０について説明する。表示部２０の前面側には遮蔽部材５０が設けられている。
遮蔽部材５０は、透過部４２と遮蔽部４４とを備える。透過部４２は、一または複数の表示要素２２を発光させるための光を透過する。透過部４２は、たとえば光透過性の部材より構成されていてもよいし、空間であってもよい。
遮蔽部材５０は、光源から前面側に放射される光の透過量が、有意に透過部４２よりも小さい。たとえば遮蔽部材５０は、光源から前面側に放射される光を実質的に遮蔽する。本実施形態における遮蔽部４４は、表示装置１００の正面に立つ成人が肉眼で容易に確認可能に巨視的である。
表示装置１００を斜方視したときに、表示部２０に対する視線を遮蔽部４４が遮ることにより、表示要素２２の少なくとも一部が不可視となり、表示内容の覗き見を防止する。
【００３６】
本実施形態における遮蔽部４４は、図２ａに示すとおり表示装置１００の上下方向に延在する帯状部を複数本（例えば５本）有する。
即ち、一の遮蔽部４４が、表示装置１００の上下方向に延在する帯状部であり、帯状部である遮蔽部４４が、表示装置１００の左右方向に配列されている。本実施形態における遮蔽部４４の左右方向の配列間隔は、略等しい。換言すると、隣り合う遮蔽部４４と遮蔽部４４との間に配置される透過部４２の幅寸法は、他の透過部４２の幅寸法と略等しい。
上記帯状部の上端および下端は、それぞれ、不透過性の部材で連係されており、表示装置１００の上下方向に延在する透過部４２を模っている。
【００３７】
上述のとおり、それぞれの透過部４２の左右に遮蔽部４４が設けられているため、表示装置１００の左右方向の視野角度が狭められており、斜方視における覗き見防止がなされている。
【００３８】
図２ａに示すとおり、一の透過部４２には、複数（例えば３つ）の表示要素２２が包含されている。より具体的には、上下方向に延在する透過部４２において幅中心を揃えて上下方向に複数の表示要素２２が配置されている。上下方向に配置される複数の表示要素２２は、斜方視における一定の視認角度において視認不可能となる領域が、略等しい。
【００３９】
本実施形態における遮蔽部材５０は、図１および図６ａに示すとおり遮蔽シート４０とスペーサ３０を含む。
遮蔽シート４０は、有色不透明の部材よりなる薄層である。遮蔽シート４０は有色不透明の部材であって、透過部４２に相当する領域が抜かれたシートであってもよい。また遮蔽シート４０は、シート形状に限定されず、スペーサ３０の前面側であって所定の領域に塗布されてなる着色層であってもよい。ここで有色不透明とは、便宜的な言葉であって、彩度のある色、および白、グレー、および黒を含む無彩色のいずれかであって不透明なものをいう。ここでいう不透明とは、遮蔽部材５０における透過量が、有意に透過部４２よりも小さいことを含み、望ましくは、光源から前面側に放射される光を実質的に遮蔽する程度をいう。
【００４０】
スペーサ３０は、上述する遮蔽シート４０と表示部２０との間において一定の距離を確保するための部材であり、遮蔽シート４０と同様に透過部４２が設けられている。本実施形態におけるスペーサ３０は、透明のアクリル樹脂など、透明性の部材により構成することができる。あるいは、スペーサ３０は、遮蔽シート４０と同様に有色不透明の部材より構成してもよい。
スペーサ３０と遮蔽シート４０の厚みの和は特に限定されないが、例えば上記和は２．０ｍｍ以上７．０ｍｍ以下、好ましくは、２．５ｍｍ以上６．０ｍｍ以下である。上記厚みの和が上述する数値範囲に設計されることによって、表示装置１００の薄型化に貢献するとともに、望ましい覗き見防止効果が発揮され得る。
たとえばスペーサ３０の厚みよりも遮蔽シート４０の厚みが小さい。遮蔽シート４０の厚みに対するスペーサ３０の厚みの比率は、たとえば２０倍以上３０倍以下程度とすることができる。
【００４１】
図６ｂ示すとおり、遮蔽部４４は、光不透過部４４２と、光不透過部４４２と表示部２０との間の距離を確保するためのスペース部４４４と、を備える。本実施形態において、光不透過部４４２は遮蔽シート４０に含まれている。またスペース部４４４はスペーサ３０に含まれている。
【００４２】
遮蔽部４４において、光不透過部４４２と表示部２０との間にスペース部４４４を備えることによって、遮蔽部４４に奥行をもたせ、表示装置１００の左右方向の視野角度を小さくすることができる。
加えて、スペース部４４４が光透過性である態様によれば、スペース部４４４を介して斜方に光を透過させることが可能である。したがって、斜め方向から表示装置１００を観察した者は、表示装置１００が発光していることが確認可能であり、表示装置１００が使用状態にある（即ち、電源が入っている）ことを把握可能である。即ち、光透過性のスペース部４４４を有する遮蔽部４４は、斜方視において表示要素２２を遮蔽可能であるとともに、一部の光を周囲に放散することが可能である。
【００４３】
本実施形態の変形例として、遮蔽部材５０は、不透明部材よりなる一枚の不透明シートであってもよい。例えば、上記不透明シートは、不透明性の樹脂からなり、上述するスペーサ３０および遮蔽シート４０の厚みの和程度の厚み寸法を備える一枚の板状体であって、透過部４２の形成領域において前後方向に貫通する孔が形成されていてもよい。かかる変形例において、上記孔は、単なる空気層であってもよいし、透明性の樹脂部材等がはめ込まれた光透過性の樹脂層であってもよい。
【００４４】
また遮蔽部材５０には、説明記載部２６に対応して、透過部４２よりも太幅の説明記載透過部２４が設けられている。
【００４５】
次に透明レンズ６０について説明する。図１に示すとおり遮蔽部材５０の前面側には透明レンズ６０が設けられている。
透明レンズ６０は、透過部４２を透過した光が透過な透明性の部材より形成されている。例えば透明性のアクリル樹脂などから透明レンズ６０を形成することができるが、これに限定されない。透明レンズ６０は、背面側に位置する遮蔽部材５０の略全体を覆っている。透明レンズ６０は、これより背面側に配置された他の構成を保護する保護部材としての作用を発揮し得る。透明レンズ６０は、少なくとも透過部４２に相当する領域、あるいは透過部４２から視認される表示要素２２に相当する領域が光透過性に構成された部材である。もちろん、透明レンズ６０の全体が、光透過性であってもよい。透明レンズ６０における光透過性の領域は、無色透明または有色透明である。
尚、遮蔽部材５０が表示装置１００の正面側のレンズも兼ねる場合等には透明レンズ６０を省略することも可能である。
【００４６】
透明レンズ６０の前面側には、前面ケース７０が配置されている。
前面ケース７０は、前述した背面ケース８０と係合し、前面ケース７０と背面ケース８０との間に配置される他の構成を収納可能である。
あるいは、背面ケース８０を省略し、表示装置１００が設置される装置における所定箇所と前面ケース７０とを直接に係合させてもよい。この場合には、当該所定領域と前面ケース７０との間に、表示装置１００に設けられる他の構成が収納される。
【００４７】
以上に表示装置１００（入力装置２００）をなす各構成を説明したが、上述の説明は、適宜、いずれかの構成を省略し、あるいは、他の構成を追加することを排除しない。
または表示装置１００（入力装置２００）において、覗き見防止の確実性をさらに向上させる等の目的のために、従来の遮蔽シート（光学フィルム）をさらに設けることを排除しない。
【００４８】
次に、図５を用いて、表示装置１００の正面視および斜方視における好ましい態様の例を説明する。
ここでは、表示部２０の横幅が成人１４０の体幅１４４未満である場合について説明する。また表示部２０の中心から、表示部２０の正面近傍に起立した成人１４０の体の両側を通って引かれた２直線（直線１１０ａ、直線１１０ｂ）間を、正面視領域１２０とし、当該２直線間を外れた領域を斜方視領域１３０とする。
斜方視領域１３０から視認される表示部２０において、図４に示されるとおり、一の表示要素２２の個別部２２２が遮蔽され、他の表示要素２２との識別が不可能となるよう構成されることは、本発明の好ましい態様の一例である。
換言すると、斜方視領域１３０から視認される表示部２０において、一の表示要素２２の個別部２２２が遮蔽され、当該一の表示要素２２と他の表示要素２２とが識別不可能となるよう、遮蔽部４４の幅および奥行寸法、または遮蔽部４４のピッチなどを適宜調整してよい。もちろん、斜方視領域１３０において視野角度が充分に大きくなれば、図２ｃに示すとおり、表示要素２２が完全に遮蔽部４４により遮蔽され得る。
【００４９】
斜方視領域１３０からの覗き見が防止されることによって、表示部２０に対し入力操作をする入力者の体幅よりも外側に立つ他人に入力内容を覗き見られることを防止することができる。
【００５０】
本実施形態にかかる表示装置１００は、図示省略するが、視野角制限シートをさらに備えてもよい。視野角制限シートは、表示部２０の前面側に配置され、透過領域と不透過領域とが所定のピッチで繰り返して形成されており透過領域を通過する光の視野角度を所定の極視野角カットオフ角度以下に制限する部材である。
ここで、極視野角カットオフ角度は、遮蔽部４４により個別部２２２が遮蔽され他の表示要素２２との識別が不可能となる視野角度の最小角度よりも大きいことが好ましい。
また極視野角カットオフ角度よりも、遮蔽部４４によって複数の表示要素２２の全てに関し当該表示要素２２の全体を遮蔽する全体遮蔽視野角度の方が大きいことが好ましい。
【００５１】
極視野角カットオフ角度に対する、上記最小角度および上記全体遮蔽視野角度の大小の関係は、太陽光下または室内灯下などの明環境、または夜間における屋外または暗室などの暗環境の少なくともいずれかで達成されればよい。
【００５２】
極視野角カットオフ角度とは、視野角制限シートに設けられた不透過領域により、斜方視で表示要素２２が完全に不可視になる視野角度を意味する。上記視野角制限シートは、斜方からの視野を狭める光学フィルムや偏光板を含む。
【００５３】
視野角制限シートを備える表示装置１００によれば、遮蔽部材５０によって個別部２２２を遮蔽することによって浅い視野角度（例えば３０°）において表示要素２２の表示内容を識別不可にすることが可能である。また、遮蔽部材５０により表示要素２２の全体を遮蔽する全体遮蔽視野角度（例えば６０°）よりも小さい視野角度である極視野角カットオフ角度（例えば４５°）において、視野角制限シートにより表示要素２２を完全に遮蔽することができる。
即ち、上述する好ましい視野角度の大小関係を有する視野角制限シートと遮蔽部材５０とを併用する表示装置１００によれば、視野角度を効果的に狭めることができ、覗き見防止効果を向上させることができる。
【００５４】
表示装置１００に搭載される視野角制限シートは、遮蔽部材５０との併用が前提であるため、単独で用いられる単独視野角制限シートにおける不透過領域のピッチよりも、本実施形態における視野角制限シートの当該ピッチを大きく設計することができる。したがって視野角制限シートをさらに備える自動販売機３００は、単独視野角制限シートを使用する場合に比べ、輝度低下の問題が改善されるとともに良好な覗き見防止効果を発揮し得る。
【００５５】
本実施形態において、成人１４０の体幅１４４は、厳密な数値により制限されるものではない。たとえば小柄な成人１４０であっても斜方視する他人からの覗き見を防止するという観点からは、体幅１４４は、７０ｃｍ未満、さらには６０ｃｍ未満、特には５０ｃｍ未満と想定することができる。
成人１４０の体幅１４４未満である表示部２０の幅寸法は、たとえば、２０ｃｍ以下、好ましくは１０ｃｍ以下とすることができる。表示部２０の縦寸法も、同様に２０ｃｍ以下、好ましくは１０ｃｍ以下とすることによって、成人１４０の手の甲により表示部２０の全体が概略覆われる程度の寸法としてもよい。表示部２０の縦横比は同一でなくてもよい。
表示部２０の正面近傍とは、表示装置１００に対向する成人１４０が、表示装置１００においてタッチ操作可能な程度の距離である。成人１４０の体の両側とは、左右の腕の側面を意味し、上記体の両側間の距離は、体幅１４４と等しい。
【００５６】
正面視領域１２０は、表示装置１００の中心から伸長する法線１１５と直線１１０ａとの交差角度および法線１１５と直線１１０ｂとの交差角度により決定される。
たとえば表示装置１００は、上述するそれぞれの交差角度を３０°として正面視領域１２０を認識することができる。かかる場合に、斜方視における視認角度が３０°であるとき、表示要素２２の一部が遮蔽部４４により遮蔽され、一の表示要素２２と、他の表示要素２２とが識別不可能となる。視認角度が３０°未満のとき、表示要素２２は、表示内容が理解可能に視認される。
【００５７】
さらに、表示装置１００は、図５に示すとおり任意の人間１４２が表示部２０の法線方向に対し０°を超えて所定の視認角度αから表示部２０を斜方視されたときに、遮蔽部４４によって人間１４２に対し表示要素２２の全体を遮蔽可能である。
上記所定の視認角度αは、たとえば上述する法線１１５と直線１１０ａとの交差角度および法線１１５と直線１１０ｂとの交差角度よりも大きい。視認角度αは、特に限定されないが、たとえば３０°以上７５°以下であり、好ましくは４０°以上６０°以下であることが好ましい。
【００５８】
斜方視領域１３０において、完全に表示要素２２が遮蔽可能である領域を有することにより、覗き見防止効果が向上する。たとえば、覗き見を目的に成人１４０の近傍に近寄る人間１４２は、覗き見をなすために、完全に表示要素２２が遮蔽される視野角度よりもさらに、成人１４０に近寄る必要がある。これに対し成人１４０は、不用意に近づく人間１４２の気配を感じ、覗き見られることを警戒することができる。
視認角度αが３０°以上６０°以下であるとき表示要素２２が完全に遮蔽される態様では、視野角度が充分に狭い。したがって、覗き見ようとする人間１４２は、図５に示すとおり、表示装置１００の正面に立つ成人１４０に隣り合わせて立つ程度に近寄る必要があり、成人１４０に気づかれずに覗き見ることが困難である。
【００５９】
＜第二実施形態＞
次に本発明の第二実施形態である自動販売機３００について図７を用いて説明する。図７は、本発明の第二実施形態にかかる自動販売機３００の正面概略図である。
自動販売機３００は、入力装置２００と、販売物を収容可能な収容部３４０と販売物を取り出す取出口３６０とを備える筐体３２０と、販売物を取出口３６０に送り出す商品払出機構（図示省略）と、を備える。入力装置２００は、筐体３２０の前面に配置されている。取出口３６０の開口は、筐体３２０の前面側に設けられている。
入力装置２００は、第一実施形態において説明したものと同様であり、同様に第一実施形態において説明した表示装置１００を備える。入力装置２００およびこれに搭載される表示装置１００の説明は適宜、第一実施形態の説明が適用されるため、ここでは詳細な説明を割愛する。
【００６０】
自動販売機３００は、覗き見防止機能を有する表示装置１００を備える入力装置２００が前面に配置されている。そのため、自動販売機３００により販売物を購入する者（以下、購入者ともいう）は、購入の際に必要な所定の入力内容を、自動販売機３００の正面側から入力しやすく、かつ、入力装置２００を斜方視する他人から入力内容を覗き見られ難い。
【００６１】
自動販売機３００は、具体的には、上記販売物がたばこ３１２であるたばこ自動販売機の例を用いて説明する。たばこの購入は、成人のみに限定されているという特殊性を備えるため、特に入力内容の覗き見防止を禁止する入力装置２００の効果を享受することは望ましい。
【００６２】
たとえば、自動販売機３００は、ＩＣカードに記憶された暗証コードを読み取るコード読取部３１４、および入力情報と暗証コードとを照合する照合部（図示省略）を備えていてもよい。
上記入力情報は、入力装置２００のタッチ操作により入力された情報である。入力情報は、たとえば、ＩＣカードに外観上不可視に記録されている暗証番号情報と同一または関連する暗証番号である。
暗証コードは、コード読取部において読み取り可能なコードであり、暗証番号情報と生年月日情報とを含む。
ここで、前記販売物としてたばこ３１２を選択し、自動販売機３００をたばこ自動販売機として用いることができる。
また、販売物としてはたばこ以外にも酒などであってもよく、購入者が限定される販売物（以下、購入者限定販売物ともいう）を上記販売物として選択してもよい。
【００６３】
ＩＣカードは、上記購入者限定販売物の購入に際して本人確認および／または成人認証に必要なＩＣカードであり、購入者限定販売物の購入にのみ用いられるＩＣカード、および他の目的も兼用するＩＣカードのいずれも含む。他のＩＣカードの例としては、購入者が保有する運転免許証などを挙げることができるが、これに限定されない。
【００６４】
以下において購入者限定販売物としてたばこを例に説明する。
現在の運転免許証には、複数桁（例えば４桁）の暗証番号が外観上不可視に記録されている。たとえば、自動販売機３００は、コード読取部３１４にかざされた運転免許証から当該運転免許証に記録された暗証コードである暗証番号情報および生年月日情報を同一ステップまたは異なるステップで読み取る。また自動販売機３００は、購入者が入力装置２００にて入力した暗証番号を一時的に記憶する。そして、自動販売機３００は、読み取った暗証番号情報と一時的に記憶された暗証番号とを照合部において照合し、購入者が運転免許証の保有者本人であるか否かを判断する。加えて、読み取った生年月日情報により運転免許の保有者が成人であるか否かを判断する。たばこ自動販売機である自動販売機３００は、購入者が、運転免許証の保有者であり、かつ成人と判断された場合にのみ、販売を許可する販売モードに移行する。
【００６５】
より具体的な例としては、図示省略する以下の態様が例示される。
即ち、自動販売機３００は、情報保持部と、コード読取部と、照合部と、を備える。
情報保持部は、タッチ操作によりセンサシートに入力された入力情報を一時的に記憶する。コード読取部は、暗証コードおよび暗号化された生年月日情報を記憶するＩＣカードから暗証コードを読み取る。照合部は、情報保持部に保持された入力情報と、コード読取部に読み取られた暗証コードと、を照合する。当該照合において、入力情報と暗証コードとが一致または関連した場合には、本人であると判断される。
コード読取部は、照合部の照合結果に基づいて復号された生年月日情報を取得し、取得された生年月日情報に基づいてＩＣカードの保有者の成人認証を行う成人認証部を更に備えてもよい。
【００６６】
自動販売機３００は、ＩＣカードに記録された暗証コードと、入力された暗証番号とを照合して本人確認および成人認証をすることにより、無人で、限定された購入者にのみ販売を許可することができる。自動販売機３００は、覗き見防止機能を備える入力装置２００が搭載されている。そのため、入力装置２００を斜方視する他人から、入力された暗証番号を覗き見られることが防止され、他人がＩＣカードを悪用することが防止される。
したがって自動販売機３００は、正規の購入者に限定的に物品を販売することが可能である。
【００６７】
上記実施形態は、以下の技術思想を包含するものである。
（１）光を放射する光源を保持する発光体ユニットと、
前記発光体ユニットの前面側に配置され、前記光の透過により点灯状態となり目視により互いに識別可能となる複数の表示要素を表示する表示部と、
前記表示部の前面側に配置され、前記光を遮蔽する遮蔽部と、前記光を透過する透過部と、を有する遮蔽部材と、
を備え、
前記透過部は、隣り合う遮蔽部間に配置されており、
正面視される一の前記透過部が、一または複数の前記表示要素を包含しており、
正面視で、一の前記透過部において点灯状態である一または複数の前記表示要素の全体が視認可能であり、
斜方視で、視線方向に前記遮蔽部が位置することにより前記表示要素の少なくとも一部が前記遮蔽部により遮蔽されて不可視となることを特徴とする表示装置。
（２）点灯状態である一の前記表示要素は、点灯状態である他の表示要素と共通である共通部と、前記共通部以外の個別部と、を有し、
前記斜方視される前記表示部において、一の前記表示要素おける前記個別部が前記遮蔽部により遮蔽されることにより、一の前記表示要素と他の前記表示要素とが識別不可能となる上記（１）に記載の表示装置。
（３）前記表示部の横幅が成人の体幅未満であり、前記表示部の中心から、前記表示部の正面近傍に起立した成人の体の両側を通って引かれた２直線間を、正面視領域とし、当該２直線間を外れた領域を斜方視領域としたときに、
前記斜方視領域から視認される前記表示部において、一の前記表示要素の前記個別部が遮蔽され、当該一の前記表示要素と他の前記表示要素とが識別不可能となる請求項２に記載の表示装置。
（４）前記表示部の前面側に配置され、透過領域と不透過領域とが所定のピッチで繰り返して形成されており前記透過領域を通過する光の視野角度を所定の極視野角カットオフ角度以下に制限する視野角制限シートをさらに備え、
前記遮蔽部により前記個別部が遮蔽され、他の前記表示要素との識別が不可能となる視野角度の最小角度よりも、前記極視野角カットオフ角度が大きく、かつ、
前記極視野角カットオフ角度よりも、前記遮蔽部によって複数の前記表示要素の全てに関し当該表示要素の全体を遮蔽する全体遮蔽視野角度の方が大きい上記（３）に記載の表示装置。
（５）一の前記遮蔽部が、前記表示装置の上下方向に延在する帯状部であり、前記帯状部である前記遮蔽部が、前記表示装置の左右方向に配列されている上記（１）から（４）のいずれか一項に記載の表示装置。
（６）表示部の法線方向に対し、０°を超えて所定の視認角度から表示部を斜方視されたときに、
前記遮蔽部は、複数の前記表示要素の全てに関し当該表示要素の全体を遮蔽可能である上記（１）から（５）のいずれか一項に記載の表示装置。
（７）前記所定の視認角度が、３０°以上７５°以下である上記（６）に記載の表示装置。
（８）前記遮蔽部が、光不透過層と、前記光不透過層と前記表示部との間に配置される光透過層と、を備えることを特徴とする上記（１）から（７）のいずれか一項に記載の表示装置。
（９）複数の前記表示要素は、配列が基準化された複数の異なる文字を含み、
複数の前記文字が、前記表示部において基準化された前記配列に従わずに所定方向に配置される上記（１）から（８）のいずれか一項に記載の表示装置。
（１０）所定のタイミングで前記文字の配置を変更する表示変更手段を有する上記（９）に記載の表示装置。
（１１）上記（１）から（１０）のいずれか一項に記載の表示装置を備える入力装置であって、
前記光源から放射された前記光を透過させ、タッチ操作により情報の入力を受け付けるセンサシートを備え、
前記センサシートの電極が前記表示要素に対応して配置されていることを特徴とする入力装置。
（１２）上記（１１）に記載の入力装置と、
販売物を収容可能な収容部と、前記販売物を取り出す取出口と、を備える筐体と、
前記販売物を前記取出口に送り出す商品払出機構と、を備え、
前記入力装置が、前記筐体の前面に配置されていることを特徴とする自動販売機。
（１３）ＩＣカードに記憶された暗証コードを読み取るコード読取部、および
前記入力装置の前記タッチ操作により入力された入力情報と、前記コード読取部において読み取られた前記暗証コードと、を照合する照合部を備える上記（１２）に記載の自動販売機。
（１４）前記販売物がたばこである上記（１１）または（１２）に記載の自動販売機。
【符号の説明】
【００６８】
１０・・・発光体ユニット、２０・・・表示部、２２・・・表示要素、２２ａ・・・表示要素、２２ｂ・・・表示要素、２４・・・説明記載透過部、２６・・・説明記載部、３０・・・スペーサ、４０・・・遮蔽シート、４２・・・透過部、４４・・・遮蔽部、５０・・・遮蔽部材、６０・・・透明レンズ、７０・・・前面ケース、８０・・・背面ケース、１００・・・表示装置、１１０ａ・・・直線、１１０ｂ・・・直線、１１５・・・法線、１２０・・・正面視領域、１３０・・・斜方視領域、１４０・・・成人、１４２・・・人間、１４４・・・体幅、２００・・・入力装置、２１０・・・センサシート、２２２・・・個別部、２２４・・・共通部、２２６・・・非発光部、３００・・・自動販売機、３１２・・・たばこ、３１４・・・コード読取部、３２０・・・筐体、３４０・・・収容部、３６０・・・取出口、４４２・・・光不透過部、４４４・・・スペース部、α・・・視認角度
【図１】
2015191434.tif 000003
【図２】
2015191434.tif 000004
【図３】
2015191434.tif 000005
【図４】
2015191434.tif 000006
【図５】
2015191434.tif 000007
【図６】
2015191434.tif 000008
【図７】
2015191434.tif 000009